(57)【特許請求の範囲】
【請求項１】
建物の躯体に対して固定した上下の横材の見込み面で面材を支持したカーテンウォールであって、
前記横材に連結された連結部材に方立を連結することで、該方立を前記面材の室外側に配置したものであり、
前記面材は、前記方立の室内側端面と、該方立に対して室内側から装着される押縁との間に保持されることを特徴とするカーテンウォール。
【請求項２】
請求項１記載のカーテンウォールにおいて、
前記押縁は、前記面材の室内側に配置される室内側部位と、前記方立に対して装着される装着部位とを有し、
前記室内側部位と前記装着部位との間、又は前記装着部位と前記方立との間に断熱構造を設けたことを特徴とするカーテンウォール。
【請求項３】
請求項１又は２に記載のカーテンウォールにおいて、
前記方立と前記面材との間には、前記方立の長手方向に亘って延在する縦止水材が設けられており、該縦止水材は前記横材と前記面材との間に設けられた横止水材と接触することを特徴とするカーテンウォール。
【請求項４】
請求項１〜３のいずれか１項に記載のカーテンウォールにおいて、
前記連結部材は、互いに逆方向に突出し、隣接した左右の横材の室外側面にそれぞれ固定されることで該隣接した横材同士を連結する一対の固定板と、該一対の固定板間から室外側へと突出し、前記方立の室内側端面に対して固定される突出部とを有することを特徴とするカーテンウォール。
【請求項５】
建物の躯体に対して固定した上下の横材の見込み面で面材を支持したカーテンウォールであって、
前記横材に連結された連結部材に方立を連結することで、該方立を前記面材の室外側に配置したものであり、
前記連結部材は、互いに逆方向に突出し、隣接した左右の横材の室外側面にそれぞれ固定されることで該隣接した横材同士を連結する一対の固定板と、該一対の固定板間から室外側へと突出し、前記方立の室内側端面に対して固定される突出部とを有し、
前記横材の室外側面に前記連結部材の固定板を覆うカバー部材を装着したことを特徴とするカーテンウォール。
【請求項６】
請求項１〜５のいずれか１項に記載のカーテンウォールを外壁に用いたことを特徴とする建物。
【発明の詳細な説明】
【技術分野】
【０００１】
本発明は、建物の外壁を構成するカーテンウォール及び該カーテンウォールを備える建物に関する。
【背景技術】
【０００２】
建物の外壁を構成するカーテンウォールとして、左右に隣接した方立の間に上下の横材とガラス等のパネル板を配置して取り付けた構成が知られている。例えば、特許文献１には、建物の室内側で躯体に対して左右方向に間隔をあけて複数の方立を固定し、隣接した方立間に上下の横材を設け、これら隣接する方立と上下の横材で区画された部位にガラス板を配置して取り付けた構成が開示されている。
【先行技術文献】
【特許文献】
【０００３】
【特許文献１】実公昭４−４６４０５号公報
【発明の概要】
【発明が解決しようとする課題】
【０００４】
上記した通り、従来のカーテンウォールでは支持構造や雨仕舞等の構造上の観点から、耐風圧性能を満足する方立は室内側に配置することが一般的に行われている。
【０００５】
ところで、近年は建物の外観デザイン上のアクセントとして或いは日射遮蔽等の環境配慮の観点から、縦方向に延在するように突出させた垂直フィンを室外に設けることが多く行われている。
【０００６】
ところが、外観デザインや環境配慮のためだけにこのような垂直フィンを上記従来構造のカーテンウォールに追加することは、部品コストや施工コストの点で好ましくない。また、室外側で冷却された垂直フィンを介して室内側の方立に結露を生じることがあり、その対策のためのコストがかかる。しかも、建物の室内に強度部材である方立が突出するため居住空間が削減されると共に、この方立と垂直フィンとの連結部が外部に露出することから外観デザインを損なうことが指摘されている。
【０００７】
本発明は、上記従来技術の課題を考慮してなされたものであり、低コストで外観品質や環境性能を高めることができるカーテンウォール及び該カーテンウォールを備える建物を提供することを目的とする。
【課題を解決するための手段】
【０００８】
本発明に係るカーテンウォールは、建物の躯体に対して固定した上下の横材の見込み面で面材を支持したカーテンウォールであって、前記横材に連結された連結部材に方立を連結することで、該方立を前記面材の室外側に配置したことを特徴とする。
【０００９】
このような構成によれば、方立を横材に連結した連結部材を介して室外側に配置することで、強度部材となる方立を建物の外観デザイン上のアクセントや日射遮蔽等の環境配慮のための垂直フィンとしても機能させることができる。このため、従来技術のように室内側に配置した方立の室外側に別部品で垂直フィンを設ける必要がなく、部品コストや施工コストを低減できると共に、環境性能を高めることができる。しかも、従来、室内側に大きく張り出していた方立をなくすことができるため、建物の居住空間の有効利用が可能となると共に、この室内側の方立に結露を生じることも回避できる。
【００１０】
本発明に係るカーテンウォールにおいて、前記面材は、前記方立の室内側端面と、該方立に対して室内側から装着される押縁との間に保持される構成であってもよい。すなわち、方立に比べてその張り出し量を小さく構成できる押縁を室内側に設けることで、居住空間をほとんど侵食することなく面材を確実に保持することができる。
【００１１】
本発明に係るカーテンウォールにおいて、前記押縁は、前記面材の室内側に配置される室内側部位と、前記方立に対して装着される装着部位とを有し、前記室内側部位と前記装着部位との間、又は前記装着部位と前記方立との間に断熱構造を設けた構成としてもよい。そうすると、室外で冷却された方立からの冷熱が押縁の室内側部位に伝達されることが防止され、カーテンウォールの室内側での結露の発生をより確実に防止できる。
【００１２】
本発明に係るカーテンウォールにおいて、前記方立と前記面材との間には、前記方立の長手方向に亘って延在する縦止水材が設けられており、該縦止水材は前記横材と前記面材との間に設けられた横止水材と接触する構成であってもよい。そうすると、室外側に方立を配置した構成であっても方立周囲の止水性を確実に確保できる。
【００１３】
本発明に係るカーテンウォールにおいて、前記連結部材は、互いに逆方向に突出し、隣接した左右の横材の室外側面にそれぞれ固定されることで該隣接した横材同士を連結する一対の固定板と、該一対の固定板間から室外側へと突出し、前記方立の室内側端面に対して固定される突出部とを有する構成であってもよい。そうすると、横材同士を連結する連結部材を用いて方立を室外側に配置することができ、部品点数を削減できる。
【００１４】
本発明に係るカーテンウォールにおいて、前記横材の室外側面に前記連結部材の固定板を覆うカバー部材を装着した構成としてもよい。そうすると、連結部材が外観上に露出することを防止できると共に、方立と面材との取合い部が途切れることなく連続する外観デザインとすることができる。
【００１５】
また、本発明に係る建物は、上記構成のカーテンウォールを外壁に用いたことを特徴とする。
【発明の効果】
【００１６】
本発明によれば、方立を横材に連結した連結部材を介して室外側に配置することで、強度部材となる方立を建物の外観デザイン上のアクセントや日射遮蔽等の環境配慮のための垂直フィンとしても機能させることができる。このため、部品コストや施工コストを低減できると共に、環境性能を高めることができる。
【図面の簡単な説明】
【００１７】
【図１】図１は、本発明の一実施形態に係るカーテンウォールを備えた建物を室外側から見た要部拡大正面図である。
【図２】図２は、図１に示す建物のカーテンウォール近傍での縦断面図である。
【図３】図３は、図１中のＩＩＩ−ＩＩＩ線に沿う断面図である。
【図４】図４は、図１中のＩＶ−ＩＶ線に沿う断面図である。
【図５】図５は、横材とブラケットとの連結構造を示す斜視図である。
【図６】図６は、図５に示すように横材に取り付けたブラケットに方立を連結した状態を示す斜視図である。
【図７】図７は、方立付近を室外側から見た斜視図である。
【図８】図８は、図７に示す状態から横材の室外側にカバー部材を装着した状態を示す斜視図である。
【発明を実施するための形態】
【００１８】
以下、本発明に係るカーテンウォールについて、このカーテンウォールを備える建物との関係で好適な実施の形態を挙げ、添付の図面を参照しながら詳細に説明する。
【００１９】
図１は、本発明の一実施形態に係るカーテンウォール１０を備えた建物１２を室外側から見た要部拡大正面図であり、図２は、図１に示す建物１２のカーテンウォール１０近傍での縦断面図である。
【００２０】
図１及び図２に示すように、カーテンウォール１０はスパンドレル部１０ａとビジョン部１０ｂとを上下に並べて外壁１２ａを構成したものであり、スパンドレル部１０ａとビジョン部１０ｂとが上下方向に交互に配置されている。
【００２１】
建物１２は、躯体１４に取り付けた床スラブ１５の上面側に床板１６を設けた床１７と、床スラブ１５の下面側に吊下げ支持された天井１８とを有する。建物１２は、床スラブ１５の下面と天井１８の上面との間が上下階の境界部分１２ｂとなり、天井１８の下面と床１７の上面との間が居住空間１２ｃとなる。
【００２２】
カーテンウォール１０は、スパンドレル部１０ａが境界部分１２ｂと対向して該境界部分１２ｂの外壁１２ａとなり、ビジョン部１０ｂが居住空間１２ｃと対向して該居住空間１２ｃの外壁１２ａとなる。
【００２３】
カーテンウォール１０は、躯体１４（床スラブ１５）に対してファスナー１９を用いて固定される横材２０と、上下の横材２０，２０間に設けられる無目材２２と、建物１２の室外側で上下方向に沿って延在し、外壁１２ａの左右方向に所定間隔を介して並設される複数の方立２４とを備える。方立２４は、後述するブラケット２５を介して横材２０に対して連結固定される。横材２０、無目材２２及び方立２４は、例えばアルミニウム等の金属の押出形材である。ファスナー１９はペリカバー２１によって隠されている。
【００２４】
上階側の横材２０と無目材２２と左右の方立２４，２４で囲まれた部分に面材である室内側パネル２６及び室外側パネル２７を取り付けることでスパンドレル部１０ａが形成され、無目材２２と横材２０と左右の方立２４，２４で囲まれた部分に面材である室内側ガラス２８及び室外側ガラス２９を取り付けることでビジョン部１０ｂが形成されている。本実施形態の場合、室内側パネル２６は耐火性能を有したボード状のパネル材によって構成し、室外側パネル２７をフロートガラス板によって構成している。また、室内側ガラス２８及び室外側ガラス２９は、遮熱性及び断熱性を有する２枚のガラス板をスペーサ部材を介して間隔をあけて配置した複層ガラスによって構成されている。
【００２５】
図３は、図１中のＩＩＩ−ＩＩＩ線に沿う断面図であり、図４は、図１中のＩＶ−ＩＶ線に沿う断面図である。
【００２６】
図３に示すように、横材２０は、床スラブ１５（躯体１４）に対してファスナー１９を介して連結固定されている。横材２０は、下側の見込み面に室外側パネル２７が配置される下向き凹形状の面材配置部３２を有し、下側の室内側見付け面に断面クランク状の保持金具３４を介して室内側パネル２６が保持される。さらに、横材２０は、上側の見込み面に室内側ガラス２８及び室外側ガラス２９が配置される上向き凹形状の面材配置部３６を有する。
【００２７】
面材配置部３２は、横材２０の室外側端面に装着されたカバー部材３３の下側の突出片３２ａと、横材２０の室外側を向いた下部の見付け面３２ｂとの間に室外側パネル２７の上縁部を保持するものである。面材配置部３２及び保持金具３４で上縁部が保持された室内側パネル２６及び室外側パネル２７の下縁部は、無目材２２によって保持される（図２参照）。室外側パネル２７の上端面は、面材配置部３２の底面（横材２０の下側の見込み面）との間に配置される横止水材３５によって止水される。横止水材３５は横材２０の長手方向に亘って延在するものであり、例えば不定形シーリング材である。
【００２８】
面材配置部３６は、カバー部材３３の上側の突出片３６ａと、横材２０の室外側を向いた見付け面３６ｂとの間に室内側ガラス２８及び室外側ガラス２９の下縁部を保持するものである。面材配置部３６で下縁部が保持された室内側ガラス２８及び室外側ガラス２９は、その室外側面の側縁部が方立２４の室内側端面２４ａによって保持され、室内側面の側縁部が押縁３８によって保持される。この際、室外側ガラス２９の下端面は、面材配置部３６の底面（横材２０の上側の見込み面）との間に配置される横止水材３７によって止水される。横止水材３７は横材２０の長手方向に亘って延在するものであり、例えば不定形シーリング材である。
【００２９】
図３及び図４に示すように、押縁３８は、例えばアルミニウム等の金属の押出形材を用いて構成されており、ビジョン部１０ｂを構成する無目材２２と横材２０との間に亘って設けられ、方立２４の長手方向に延在している。押縁３８は、室内側ガラス２８の室内側に配置される断面矩形状の室内側部位３８ａと、室内側部位３８ａの中心から室外側へと突出し、方立２４に装着される板状の装着部位３８ｂとを有し、断面略Ｔ字形状に構成されている。
【００３０】
装着部位３８ｂは、その先端側に見込み方向に並んだ一対の装着片３８ｃ，３８ｃを有する。方立２４の室内側端面２４ａの中央には、その側壁面に一対の装着爪２４ｂ，２４ｂを有した矩形の凹部２４ｃが形成されている。左右の室内側ガラス２８，２８間及び左右の室外側ガラス２９，２９間に装着部位３８ｂを通して方立２４の凹部２４ｃへと挿入し、装着片３８ｃを装着爪２４ｂに係合させることで押縁３８が方立２４に装着される。
【００３１】
押縁３８と方立２４の室内側端面２４ａとの間には、複数の縦止水材４０を介して室内側ガラス２８及び室外側ガラス２９が保持される。縦止水材４０は、上下に並ぶように設置される各方立２４の長手方向に亘るように延在しており（図７参照）、例えば不定形シーリング材である。また、押縁３８の室内側部位３８ａと横材２０との間はシール材４１でシールされることで、室内側への漏水が防止される（図３参照）。
【００３２】
押縁３８は、室内側の室内側部位３８ａと室外側の装着部位３８ｂとの間が断熱構造４２を介して連結されている。従って、室外の方立２４が外気等によって冷却された場合であっても室内側に露出した室内側部位３８ａが結露を生じることを抑制できる。断熱構造４２は、装着部位３８ｂと方立２４との間に設けてもよい。
【００３３】
図３及び図４に示すように、方立２４は断面略矩形状であり、左右に隣接した横材２０，２０間に架け渡して固定されたブラケット（連結部材）２５に対して室外側から連結されることで、室外側パネル２７及び室外側ガラス２９の室外側に突出するように配置される。なお、方立２４は、一方の横材２０に固定したブラケット２５に室外側から連結してもよい。
【００３４】
図５は、横材２０とブラケット２５との連結構造を示す斜視図であり、図６は、図５に示すように横材２０に取り付けたブラケット２５に方立２４を連結した状態を示す斜視図である。また図７は、方立２４付近を室外側から見た斜視図であり、図８は、図７に示す状態から横材２０の室外側にカバー部材３３を装着した状態を示す斜視図である。
【００３５】
図５に示すように、ブラケット２５は、互いに逆方向に突出し、隣接した左右の横材２０の室外側見付け面（室外側面）２０ａにそれぞれ固定される一対の固定板４４，４４と、一対の固定板４４，４４間から室外側へと突出した突出部４５とを有し、断面略Ｔ字状に構成されている。具体的には、ブラケット２５は、左右の固定板４４，４４が一枚の板材で形成され、この板材の中央から板状の突出部４５を垂直に突出させた形状である。各固定板４４には、当該ブラケット２５を横材２０に取り付ける際に取付ねじ４６が挿通される取付孔４４ａが貫通形成されている。突出部４５には、見込み方向に貫通する方立取付孔４５ａが上下一対設けられている。ブラケット２５は、例えばステンレス等の金属部品である。
【００３６】
方立２４は、横材２０に取付ねじ４６によって連結固定されたブラケット２５の突出部４５に対して連結固定される。図６に示すように、方立２４は、その室内側端面２４ａの凹部２４ｃに横材２０の室外側見付け面２０ａから室外側に突出した突出部４５が挿入され、室内側から方立取付孔４５ａに挿通された方立取付ねじ４８によってブラケット２５と連結固定される。
【００３７】
図３に示すように、上下の方立２４，２４間は、下側の方立２４の上端面から突出させたジョイントピン５０を上側の方立２４の下端面に形成した嵌合穴２４ｄに嵌挿させることで連結される。この際、上下の方立２４，２４間の隙間は、シール材５２によって封止される（図７及び図８も参照）。
【００３８】
図７及び図８に示すように、ブラケット２５を介して横材２０の室外側に突出するように取り付けられた方立２４の室内側端面２４ａと室外側ガラス２９及び室外側パネル２７との間を止水する縦止水材４０は、横材２０と室外側ガラス２９及び室外側パネル２７との間に設けられた横止水材３５，３７と接触する。また、縦止水材４０は、ブラケット２５の固定板４４の室外側面とも接触する。これにより、方立２４の側部にその長手方向に連続した止水構造が構築される。
【００３９】
また図８に示すように、横材２０には、その室外側見付け面２０ａを覆うカバー部材３３が装着されることでブラケット２５が室外に露出することが防止され、その外観品質を向上させている。また、カバー部材３３を設けたことで、方立２４と室外側パネル２７及び室外側ガラス２９との取合い部が途切れることなく連続する外観デザインとすることができる。カバー部材３３は、横材２０の室外側見付け面２０ａの上下に突設された爪状の係合部２０ｂを介して係合固定される（図３参照）。カバー部材３３は、室外側パネル２７及び室外側ガラス２９にかかる風圧を受け止める機能も有する。
【００４０】
このようなカーテンウォール１０の取付手順としては、例えば、先ず横材２０をファスナー１９を用いて躯体１４（床スラブ１５）に固定した後、この横材２０にブラケット２５を連結すると共にブラケット２５の室外側端部となる突出部４５の先端面に方立２４を連結固定する。この際、上下の方立２４，２４間はジョイントピン５０を用いて連結する。次いで、左右の方立２４，２４間に無目材２２を取り付けた後、室内側パネル２６、室外側パネル２７、室内側ガラス２８及び室外側ガラス２９を装着する。そして、押縁３８を方立２４に対して装着すると共に縦止水材４０と横止水材３５，３７を装着した後、カバー部材３３を取り付ける。これにより、カーテンウォール１０が建物１２の躯体１４に対する取り付けが完了する。
【００４１】
この場合、本実施形態に係るカーテンウォール１０は、建物１２の躯体１４に対して固定した横材２０の見込み面で面材である室内側パネル２６、室外側パネル２７、室内側ガラス２８及び室外側ガラス２９を支持した構成において、横材２０に連結された連結部材であるブラケット２５の室外側端部（突出部４５）に方立２４を連結することで、方立２４を面材の室外側に配置している。
【００４２】
従って、方立２４を横材２０に連結したブラケット２５を介して室外側に配置することで、強度部材となる方立２４を建物１２の外観デザイン上のアクセントや日射遮蔽等の環境配慮のための垂直フィンとしても機能させることができる。このため、従来技術のように室内側に配置した方立の室外側に別部品で垂直フィンを設ける必要がなく、部品コストや施工コストを低減できると共に、環境性能を高めることができる。しかも、従来、室内側に大きく張り出していた方立をなくすことができるため、建物１２の居住空間１２ｃの有効利用が可能となると共に、この室内側の方立に結露を生じることも回避できる。
【００４３】
当該カーテンウォール１０では、面材である室内側ガラス２８及び室外側ガラス２９は、方立２４の室内側端面２４ａと、方立２４に対して室内側から装着される押縁３８との間に保持される。すなわち、方立２４に比べてその張り出し量を小さく構成できるフラット形状の押縁３８を室内側に設けることで、居住空間１２ｃをほとんど侵食することなく面材を確実に保持することができる。
【００４４】
押縁３８は、面材である室内側ガラス２８及び室外側ガラス２９の室内側に配置される室内側部位３８ａと、方立２４に対して装着される装着部位２４ｂとを有し、室内側部位３８ａと装着部位３８ｂとの間、又は装着部位３８ｂと方立２４との間に断熱構造４２を設けている。このため、室外で冷却された方立２４からの冷熱が押縁３８の室内側部位３８ａに伝達されることが防止され、カーテンウォール１０の室内側での結露の発生をより確実に防止できる。また、押縁３８を室内側に設けることで、室外側の方立２４の側部の縦止水材４０が押縁３８によって途切れることを回避でき、方立２４の周囲での止水構造をより確実に連続させることができる。
【００４５】
また、方立２４と面材である室外側パネル２７及び室外側ガラス２９との間には、方立２４の長手方向に亘って延在する縦止水材４０が設けられており、この縦止水材４０は横材２０と面材との間に設けられた横止水材３５，３７と接触する。これにより、室外側に方立２４を配置した構成であっても方立２４周囲の止水性を確実に確保できる。
【００４６】
なお、本発明は、上記した実施形態に限定されるものではなく、隣接した横材間に方立をブラケットにより固定したもののほか横材の中間位置に方立が設けられたものにも適用できることは言うまでもなく、本発明の主旨を逸脱しない範囲で自由に変更できることは勿論である。
【符号の説明】
【００４７】
１０  カーテンウォール、１０ａ  スパンドル部、１０ｂ  ビジョン部、１２  建物、１２ａ  外壁、１２ｂ  境界部分、１２ｃ  居住空間、１４  躯体、１５  床スラブ、１７  床、１８  天井、１９  ファスナー、２０  横材、２０ａ  室外側見付け面、２２  無目材、２４  方立、２４ａ  室内側端面、２５  ブラケット、２６  室内側パネル、２７  室外側パネル、２８  室内側ガラス、２９  室外側ガラス、３２，３６  面材配置部、３３  カバー部材、３５，３７  横止水材、３８  押縁、３８ａ  室内側部位、３８ｂ  装着部位、４０  縦止水材、４２  断熱構造、４４  固定板、４５  突出部、５２  シール材
【図１】
0006482924.tif 000002
【図２】
0006482924.tif 000003
【図３】
0006482924.tif 000004
【図４】
0006482924.tif 000005
【図５】
0006482924.tif 000006
【図６】
0006482924.tif 000007
【図７】
0006482924.tif 000008
【図８】
0006482924.tif 000009